(57)【要約】【課題】充電ケーブルに大きなインピーダンスが生じた場合であっても、充電制御を正常に行なうことのできるプラグイン車両用充電システム及び充電制御装置を提供する。【解決手段】充電制御装置５０は、ケーブル側装置２０が「１２［Ｖ］」にてＣＰＬＴ信号を生成・出力している初期状態にて、ポートａにおける電圧レベルを検出し、記憶保持する。そして、充電制御装置５０は、この記憶保持したポートａにおける電圧レベルに応じて分圧比を変更することで、バッテリの充電制御の状態をケーブル側装置２０に通知する。【選択図】図１
2010142088.tif 000002
【特許請求の範囲】
【請求項１】
充電ケーブル差込口にプラグが差し込まれる充電ケーブルを介して車両外の外部電源から供給される電力によってバッテリの充電が可能なプラグイン車両に設けられて、前記バッテリの充電を制御する充電制御装置と、
前記充電ケーブルに一体的に設けられて、前記充電ケーブル差込口に前記プラグが差し込まれることに基づいて通知信号を生成・出力するとともに、当該充電ケーブルの通電を制御するケーブル側装置とを備え、
前記ケーブル側装置及び前記充電制御装置は、前記通知信号の少なくとも分圧レベルを用いて、前記充電ケーブルの通電状態及び前記バッテリの充電制御の状態を互いに通知・確認しつつ、前記外部電源から前記バッテリへ電力を供給するプラグイン車両用充電システムであって、
前記充電制御装置は、前記ケーブル側装置が所定の一定電圧レベルにて前記通知信号を生成・出力している状態にて、前記通知信号の分圧レベルを検出し、この検出した分圧レベルを基準分圧レベルとし、その基準分圧レベルに応じて分圧比を変更することで、前記バッテリの充電制御の状態を前記ケーブル側装置に通知することを特徴とするプラグイン車両用充電システム。
【請求項２】
請求項１に記載のプラグイン車両用充電システムにおいて、
前記充電制御装置は、前記バッテリの充電制御の状態のうち、前記外部電源からの電力受入準備が完了した旨を通知する際に、前記通知信号の基準分圧レベルに応じて分圧比を変更することを特徴とするプラグイン車両用充電システム。
【請求項３】
請求項１または２に記載のプラグイン車両用充電システムにおいて、
前記充電制御装置は、前記バッテリの充電制御の状態のうち、前記充電ケーブルを介して前記外部電源と電気的に接続された接続状態にある旨を通知する際に、前記通知信号の基準分圧レベルに応じて分圧比を変更することを特徴とするプラグイン車両用充電システム。
【請求項４】
請求項１〜３のいずれか一項に記載のプラグイン車両用充電システムにおいて、
前記充電制御装置は、前記通知信号の基準分圧レベルが大きいほど小さくなるように分圧比を変更することを特徴とするプラグイン車両用充電システム。
【請求項５】
充電ケーブル差込口にプラグが差し込まれる充電ケーブルを介して車両外の外部電源から供給される電力によってバッテリの充電が可能なプラグイン車両に設けられて、前記バッテリの充電を制御する充電制御装置であって、
前記充電ケーブルに一体的に設けられて、前記充電ケーブル差込口に前記プラグが差し込まれることに基づいて通知信号を生成・出力するとともに、当該充電ケーブルの通電を制御するケーブル側装置との間で、前記通知信号の少なくとも分圧レベルを用いて、前記バッテリの充電制御の状態及び前記充電ケーブルの通電状態を互いに通知・確認しつつ前記外部電源から前記バッテリへ電力を供給し、
前記ケーブル側装置が所定の一定電圧レベルにて前記通知信号を生成・出力している状態にて、前記通知信号の分圧レベルを検出し、この検出した分圧レベルを基準分圧レベルとし、その基準分圧レベルに応じて分圧比を変更することで、前記バッテリの充電制御の状態を前記ケーブル側装置に通知することを特徴とする充電制御装置。
【請求項６】
請求項５に記載の充電制御装置において、
前記バッテリの充電制御の状態のうち、前記外部電源からの電力受入準備が完了した旨を通知する際に、前記通知信号の基準分圧レベルに応じて分圧比を変更することを特徴とする充電制御装置。
【請求項７】
請求項５または６に記載の充電制御装置において、
前記バッテリの充電制御の状態のうち、前記充電ケーブルを介して前記外部電源と電気的に接続された接続状態にある旨を通知する際に、前記通知信号の基準分圧レベルに応じて分圧比を変更することを特徴とする充電制御装置。
【請求項８】
請求項５〜７のいずれか一項に記載の前記充電制御装置において、
前記通知信号の基準分圧レベルが大きいほど小さくなるように分圧比を変更することを特徴とする前記充電制御装置。
【発明の詳細な説明】
【技術分野】
【０００１】
本発明は、充電ケーブル差込口に差し込まれた充電ケーブルを介して車両外部から供給される電力によってバッテリの充電が可能なプラグイン車両に対して電力を供給するプラグイン車両用充電システム及び該システムを構成する充電制御装置に関する。
【背景技術】
【０００２】
従来、例えば特許文献１に記載の技術が知られている。この文献に記載の技術は、充電ケーブルに設けられたケーブル側コネクタの外部端子間に接続されたケーブル側コンデンサと、車両に設けられた車両側コネクタの外部端子間に接続された車両側コンデンサと、これらケーブル側コネクタ及び車両側コネクタが互いに接続されることで構成される交流回路を流れる交流電流を検出する検出回路とを備える。さらに、この充電システムは、充電開始前に交流回路に交流電圧を印加して、検出回路にて交流電流を検出する場合には、ケーブル側コネクタの外部端子及び車両側コネクタの外部端子が互いに電気的に接続されていると判断して充電（電力供給）開始する一方、検出回路にて交流電流を検出できない場合には、ケーブル側コネクタの外部端子及び車両側コネクタの外部端子が互いに電気的に接続されていないと判断して充電（電力供給）開始しない充電制御装置を備える。これにより、充電制御装置は、ケーブル側コネクタの外部端子及び車両側コネクタの外部端子が機械的だけでなく電気的にも接続されていることを確認したうえで充電を開始することができるようになる。
【０００３】
また、ＳＡＥ（Society Automotive Engineers）にて、電気自動車の充電ケーブル規格の標準化が進められている。図４に、この充電ケーブル規格に適う一般的な充電システム１００の概略構成を示す。なお、図４では、便宜上、ケーブル側コネクタ及び車両側コネクタを図示しておらず、ケーブル側装置１２０及び充電制御装置１５０がＣＰＬＴ線及びＧＮＤ線にて互いに接続された状態を示している。
【０００４】
ケーブル側装置１２０は、発振器１２１、抵抗器Ｒ１２２（「１［ｋΩ］」）、検出回路１２３等々を有して構成されている。このうち、発振器１２１はＧＮＤ電位にて接地されており、図示しないプラグがこれも図示しない家庭用電源のコンセントに接続され、ケーブル側装置１２０に電源が供給されると、このＧＮＤ電位を基準とした電圧レベル「±１２［Ｖ］」の固定幅で、且つ、周波数「１［ｋＨｚ］」のＰＷＭ信号であるＣＰＬＴ（Control Pilot）信号を生成・出力する。また、抵抗器Ｒ１２２はＣＰＬＴ信号を分圧し、検出回路１２３はＣＰＬＴ信号の分圧レベルを検出する。
【０００５】
一方、充電制御装置１５０は、検出回路１５１、ダイオードＤ１５３、抵抗器Ｒ１５４（２．７４［ｋΩ］）及びＲ１５６（「１．３［ｋΩ］」）、並びにスイッチＳ１５７等々を有する。このうち、検出回路１５１は、ダイオードＤ１５３を介して入力されるＣＰＬＴ信号の分圧レベルや周波数（デューティ比）を検出する。抵抗器Ｒ１５４は、ケーブル側コネクタ及び車両側コネクタが互いに接続されると、ＧＮＤ電位に接続される。また、抵抗器Ｒ１５６は、ケーブル側コネクタ及び車両側コネクタが互いに接続されると、スイッチＳ１５７を介してＧＮＤ電位に接地される。
【０００６】
ここで、ケーブル側コネクタ及び車両側コネクタが互いに接続されていない状態で、充電ケーブルのプラグが家庭用電源のコンセントに差し込まれ、ケーブル側装置１２０に電源が供給されると、ケーブル側装置１２０は、直流「１２［Ｖ］」の電圧レベルにてＣＰＬＴ信号を生成・出力する。
【０００７】
ケーブル側コネクタ及び車両側コネクタが接続され、その結果、ケーブル側装置及び充電制御装置がＣＰＬＴ線及びＧＮＤ線にて接続されたとする。これら両コネクタを接続すると同時に抵抗器Ｒ１５４がＧＮＤ電位にて接地されるため、発振器１２１にて生成・出力されたＣＰＬＴ信号は抵抗器Ｒ１２２及び抵抗器Ｒ１５４によって分圧され、その分圧レベルは「１２［Ｖ］」から「９［Ｖ］」に低下する。
【０００８】
検出回路１５１によってＣＰＬＴ信号の分圧レベルが「９［Ｖ］」に低下したことを検出すると、充電制御装置１５０は、ケーブル側装置１２０及び充電制御装置１５０がＣＰＬＴ線及びＧＮＤ線にて接続されたと判断し、図示しない二次電池の充電準備を開始する。
【０００９】
充電準備を完了すると、充電制御装置１５０はスイッチＳ１５７をオンとする。このスイッチＳ１５７がオンとされると、発振器１２１にて生成・出力されたＣＰＬＴ信号は、抵抗器Ｒ１２２並びに抵抗器Ｒ１５４及び抵抗器Ｒ１５６によって分圧され、その分圧レベルは、「９［Ｖ］」から「６［Ｖ］」に低下する。そして、充電制御装置１５０は、充電制御を開始する。
【００１０】
検出回路１２３によってＣＰＬＴ信号の電圧レベルが「６［Ｖ］」に低下したことを検出すると、ケーブル側装置１２０は、充電準備が完了して充電制御が開始されたと判断する。
【００１１】
このように、上記充電システム１００では、ケーブル側装置１２０及び充電制御装置１５０は、ＣＰＬＴ信号の分圧レベル及びデューティ比を用いて、コンセント及びプラグ間の接続状態、両コネクタ間の接続状態、及びバッテリの充電制御の状態を互いに通知・確認しつつバッテリへの電力を供給する。
【特許文献１】特開平５−２７６６７６号公報
【発明の開示】
【発明が解決しようとする課題】
【００１２】
ところで、上記文献１に記載の技術では、上記車両側コネクタの外部端子はむき出しとなっている。そのため、その外部端子に誤って触れるようなことがあると、車両側コンデンサに蓄積されていた電荷によって感電するおそれがある。あるいは、その外部端子に導体が触れて導通すると、車両側コンデンサに蓄積されていた電荷によってショートするおそれがある。
【００１３】
その点、上記一般的な充電システム１００において、図示しない電源線のコネクタ部分にリレー等を設け、ケーブル側コネクタ及び車両側コネクタの非接続時にそのリレーをオフとすることで、上記課題を解決することが考えられる。
【００１４】
また、上記一般的な充電システム１００では、ケーブル側コネクタ及び車両側コネクタは接続及び非接続が何度も繰り返されるため、これらコネクタの磨耗や異物の噛み込みに起因して、接触抵抗が極めて大きくなることが考えられる。
【００１５】
しかも、車両に付属の充電ケーブルを使用して家庭用コンセントと接続することで充電が行なわれるとは限らず、車両に付属の充電ケーブル以外の充電ケーブルで充電が行なわれたり、例えば充電スタンド等の家庭用コンセント以外の設備で充電が行なわれたりすることが考えられ、インピーダンスの大きな充電ケーブルを使用して充電を行なわなければならない状況が生じることも考えられる。このような場合、充電ケーブルの大きなインピーダンスによってＣＰＬＴ信号の分圧レベルが変動することに起因し、ケーブル側装置１２０は、充電制御装置１５０の充電制御状態を認知（把握）することができなくなり、その結果、充電制御装置１５０による充電制御が正常に行われなくなってしまうことがある。
【００１６】
本発明は、上記実情に鑑みてなされたものであって、その目的は、充電ケーブルに大きなインピーダンスが生じた場合であっても、充電制御を正常に行なうことのできるプラグイン車両用充電システム及び充電制御装置を提供することにある。
【課題を解決するための手段】
【００１７】
こうした目的を達成するため、請求項１に記載の発明では、充電ケーブル差込口にプラグが差し込まれる充電ケーブルを介して車両外の外部電源から供給される電力によってバッテリの充電が可能なプラグイン車両に設けられて、前記バッテリの充電を制御する充電制御装置と、前記充電ケーブルに一体的に設けられて、前記充電ケーブル差込口に前記プラグが差し込まれることに基づいて通知信号を生成・出力するとともに、当該充電ケーブルの通電を制御するケーブル側装置とを備え、前記ケーブル側装置及び前記充電制御装置は、前記通知信号の少なくとも分圧レベルを用いて、前記充電ケーブルの通電状態及び前記バッテリの充電制御の状態を互いに通知・確認しつつ、前記外部電源から前記バッテリへ電力を供給するプラグイン車両用充電システムであって、前記充電制御装置は、前記ケーブル側装置が所定の一定電圧レベルにて前記通知信号を生成・出力している状態にて、前記通知信号の分圧レベルを検出し、この検出した分圧レベルを基準分圧レベルとし、その基準分圧レベルに応じて分圧比を変更することで、前記バッテリの充電制御の状態を前記ケーブル側装置に通知することを特徴とする。
【００１８】
また、上記目的を達成するため、請求項５に記載の発明では、充電ケーブル差込口にプラグが差し込まれる充電ケーブルを介して車両外の外部電源から供給される電力によってバッテリの充電が可能なプラグイン車両に設けられて、前記バッテリの充電を制御する充電制御装置であって、前記充電ケーブルに一体的に設けられて、前記充電ケーブル差込口に前記プラグが差し込まれることに基づいて通知信号を生成・出力するとともに、当該充電ケーブルの通電を制御するケーブル側装置との間で、前記通知信号の少なくとも分圧レベルを用いて、前記バッテリの充電制御の状態及び前記充電ケーブルの通電状態を互いに通知・確認しつつ前記外部電源から前記バッテリへ電力を供給し、前記ケーブル側装置が所定の一定電圧レベルにて前記通知信号を生成・出力している状態にて、前記通知信号の分圧レベルを検出し、この検出した分圧レベルを基準分圧レベルとし、その基準分圧レベルに応じて分圧比を変更することで、前記バッテリの充電制御の状態を前記ケーブル側装置に通知することを特徴とする。
【００１９】
上記通知信号はケーブル側装置によって所定の一定電圧レベルに生成・出力される。そして、この通知信号は、充電ケーブルを介して充電制御装置に電圧され、通知信号の分圧レベルが充電制御装置によって検出される。ここで、充電ケーブルに大きなインピーダンスが発生するようなことがあれば、充電制御装置によって検出される通知信号の分圧レベルも変動する。したがって、上記通知信号の基準分圧レベルは、充電ケーブルに発生することのあるインピーダンスの大きさを反映している。こうしたインピーダンスの大きさを反映する通知信号の基準分圧レベルに応じて分圧比が変更されるため、充電ケーブルに大きなインピーダンスが生じた場合であっても、充電制御装置は、充電制御状態を正しく通知することができるようになり、ケーブル側装置は、バッテリの充電制御の状態を正しく認知（把握）することができるようになる。したがって、上記請求項１に記載の構成あるいは上記請求項５に記載の構成によれば、充電ケーブルに大きなインピーダンスが生じた場合であっても、充電制御を正常に行なうことができるようになる。
【００２０】
また、上記請求項１に記載の構成において、請求項２に記載の発明のように、前記充電制御装置は、前記バッテリの充電制御の状態のうち、前記外部電源からの電力受入準備が完了した旨を通知する際に、前記通知信号の基準分圧レベルに応じて分圧比を変更することとしてもよい。あるいは、上記請求項５に記載の充電制御装置において、請求項６に記載の発明のように、前記バッテリの充電制御の状態のうち、前記外部電源からの電力受入準備が完了した旨を通知する際に、前記通知信号の基準分圧レベルに応じて分圧比を変更することとしてもよい。これら請求項２に記載の構成あるいは請求項６に記載の構成によれば、充電制御装置は、外部電源からの電力受入準備が完了した旨を正しく通知することができるようになり、ケーブル側装置は、外部電源からの電力受入準備が完了した旨を正しく認知（把握）することができるようになる。
【００２１】
また、上記請求項１または２に記載の構成において、請求項３に記載の発明のように、前記充電制御装置は、前記バッテリの充電制御の状態のうち、前記充電ケーブルを介して前記外部電源と電気的に接続された接続状態にある旨を通知する際に、前記通知信号の基準分圧レベルに応じて分圧比を変更することとしてもよい。あるいは、上記請求項５または６に記載の充電制御装置において、請求項７に記載の発明のように、前記バッテリの充電制御の状態のうち、前記充電ケーブルを介して前記外部電源と電気的に接続された接続状態にある旨を通知する際に、前記通知信号の基準分圧レベルに応じて分圧比を変更することとしてもよい。これら請求項３に記載の構成あるいは請求項７に記載の構成によれば、充電制御装置は、充電ケーブルを介して外部電源と電気的に接続された接続状態にある旨を正しく通知することができるようになり、ケーブル側装置は、充電ケーブルを介して外部電源と電気的に接続された接続状態にある旨を通知正しく認知（把握）することができるようになる。
【００２２】
なお、上記請求項１〜３のいずれかに記載の構成において、請求項４に記載の発明のように、前記充電制御装置は、前記通知信号の基準分圧レベルが大きいほど小さくなるように分圧比を変更することとしてもよい。あるいは、上記請求項５〜７のいずれかに記載の構成において、請求項８に記載の発明のように、前記通知信号の基準分圧レベルが大きいほど小さくなるように分圧比を変更することとしてもよい。
【発明を実施するための最良の形態】
【００２３】
以下、本発明に係るプラグイン車両用充電システム及び充電制御装置の一実施の形態について、図１〜図３を参照しつつ説明する。図１は、本実施の形態の概略構成を示すブロック図である。まず、図１を参照して、プラグイン車両用充電システム（以下、単に充電システムとも記載）１の構成について説明する。なお、本実施の形態は、エンジン及びモータの２つの動力源を有し、モータ駆動用の二次電池（充電池）を家庭用電源にて充電することで電気自動車（ＥＶ）としても走行可能な、いわゆるプラグイン・ハイブリッド車（ＰＨＶ）４０に適用されている。
【００２４】
図１に示されるように、充電システム１は、プラグ１０、ケーブル側装置２０、充電ケーブル３０、プラグイン・ハイブリッド車両（以下、単に車両と記載）４０に搭載された充電制御装置５０等々を備えて構成されている。
【００２５】
プラグ１０は、例えば家庭用電源等の車両外の図示しない外部電源に設けられた充電ケーブル差込口（以下、コンセントとも記載）に差込可能な形状を有しており、外部電源から交流にて電力の供給を受けるための２本の端子とケーブル側装置２０の接地電位を外部電源の接地電位と共通にするための１本の端子を有している。このプラグ１０がコンセントに差し込まれることで、ケーブル側装置２０（ひいては二次電池）は外部電源から交流にて電力の供給を受けることが可能になるとともに、その接地電位は外部電源の接地電位と共通とされる。なお、本実施の形態では、外部電源として家庭用電源を採用しているが、他に例えば充電スタンドに設置される電源であってもよい。
【００２６】
また、ケーブル側装置２０は、充電ケーブル３０に一体的に設けられ、発振器２１、抵抗器Ｒ２２、検出回路２３、リレー２４、及び図示しない判断制御回路等々を有する。
【００２７】
このうち、発振器２１は、抵抗器Ｒ２２、ＣＰＬＴ線３１及びＧＮＤ線３２にそれぞれ接続されている。そして、発振器２１は、上記プラグ１０が上記コンセントに差し込まれ、家庭用電源等から電源が供給されると、「１２［Ｖ］」の固定幅の直流信号（すなわち、周波数「０［Ｈｚ］」のＰＷＭ（Pulse Width Modulation）信号）をＣＰＬＴ信号として生成・出力する。また、発振器２１は、判断制御回路から指令を受けると、直流信号に替えて、電圧レベル「±１２［Ｖ］」の固定幅で、且つ、周波数「１［Ｈｚ］」のＰＷＭ（Pulse Width Modulation）信号をＣＰＬＴ信号として生成・出力する（発振を開始する）。なお、このＣＰＬＴ信号が特許請求の範囲に記載の通知信号に相当する。
【００２８】
抵抗器Ｒ２２は、電気抵抗値が「１ｋ［Ω］」の適宜の抵抗素子で構成されており、上記発振器２１の後段に接続されている。そして、抵抗器Ｒ２２は、後述する充電制御装置５０を構成する抵抗器（例えばＲ５４及びＲ５５等）とともに、ＣＰＬＴ信号の電圧レベルを分圧する（以下、分圧レベルと記載する）。
【００２９】
検出回路２３は、適宜の電圧レベル検出回路で構成され、抵抗器Ｒ２２後段に接続されている。検出回路２３は、発振器２１から出力されるＣＰＬＴ信号の抵抗器Ｒ２２後段における分圧レベルを検出し、この検出したＣＰＬＴ信号の分圧レベルを図示しない判断制御回路に出力する。
【００３０】
リレー２４は、公知のリレーであり、電源線３３上に設けられている。このリレー２４は判断制御回路によってそのオンオフが制御（通電制御）されている。
【００３１】
判断制御回路は、適宜の電子回路によって構成され、検出回路２３によって検出されるＣＰＬＴ信号の分圧レベルに基づいて、充電ケーブル３０の通電状態及びバッテリの充電制御の状態を確認・通知する。
【００３２】
具体的には、判断制御回路は、検出回路２３によって検出されるＣＰＬＴ信号の分圧レベルが第１電圧レベル帯（本実施の形態では「１２［Ｖ］±１［Ｖ］」）に収まると判断する場合、「ケーブル側コネクタ３４及び車両側コネクタ４４は電気的に接続されていない非接続状態にある」と判断する。
【００３３】
また、判断制御回路は、検出回路２３によって検出されるＣＰＬＴ信号の分圧レベルが第２電圧レベル帯（本実施の形態では「９［Ｖ］±１［Ｖ］」）に収まると判断する場合、「ケーブル側コネクタ３４及び車両側コネクタ４４は電気的に接続された接続状態にある」旨が充電制御装置５０によって通知されたと判断する。なお、この旨が通知されたと判断すると、判断制御回路は、上記ＣＰＬＴ信号を発振させる指令を発振器２１に対し出力する。
【００３４】
また、判断制御回路は、検出回路２３によって検出されるＣＰＬＴ信号の分圧レベルが第３電圧レベル帯（本実施の形態では「６［Ｖ］±１［Ｖ］」）に収まると判断する場合、「外部電源からの電力受入準備が完了した」旨が充電制御装置５０によって通知されたと判断する。この旨通知されたと判断すると、判断制御回路は、上記リレー２４をオンとし、外部電源から二次電池へ電力を供給開始する。
【００３５】
充電ケーブル３０は、ＣＰＬＴ信号用の信号線であるＣＰＬＴ線３１、外部電源及びケーブル側装置２０の接地電位をとるための信号線であるＧＮＤ線３２、外部電源から電力の供給を受けるための信号線である電源線３３、及び車両４０に設けられた車両側コネクタ４４と接続するためのコネクタであるケーブル側コネクタ３４を有して構成されている。
【００３６】
ケーブル側コネクタ３４が車両側コネクタ４４に接続されると、ＣＰＬＴ線３１は、車両４０に設けられた信号線４１に接続され、この信号線４１は充電制御装置５０の端子５２ａに接続される。また、ＧＮＤ線３２は、車両４０内に設けられた信号線４２に接続され、この信号線４２は充電制御装置５０の端子５２ｂに接続される。この端子５２ｂは充電制御装置５０内のＧＮＤに接続されており、外部電源及びケーブル側装置２０と充電制御装置５０のＧＮＤは接続されていることとなる。また、電源線３３は、車両４０内に設けられた信号線４３に接続され、この信号線４３は、車両４０に搭載された図示しない車載充電器に接続される。そのため、車載充電器は、信号線４３から電力の供給を受けると、この電力にて図示しない充電池を充電する。
【００３７】
充電制御装置５０は、周知のＣＰＵ５１、端子５２ａ、及び各種素子等々を有して構成されている。充電制御装置５０は、車両４０の車体の適宜の部位に接地されている（ＧＮＤ）。また、充電制御装置５０は、端子５２ａにおける電圧レベルが「０［Ｖ］」から「１２［Ｖ］」に変化すると起動する。
【００３８】
このうち、ＣＰＵ５１は、ポートａを有しており、このポートａにおける電圧レベルを検出（Ａ／Ｄ変換）する。
【００３９】
図１に示されるように、ケーブル側コネクタ３４が車両側コネクタ４４に接続されると、第１経路「発振器２１→抵抗器Ｒ２２→充電ケーブル３０（ＣＰＬＴ線３１）→ケーブル側コネクタ３４→車両側コネクタ４４→信号線４１→端子５２ａ→ダイオード５３（０．７［Ｖ］）→抵抗器Ｒ５４（１６０［ｋΩ］）→抵抗器Ｒ５５（３９［ｋΩ］）→ＧＮＤ」が構成される。この第１経路に対し、ケーブル側装置２０（発振器２１）から上記ＣＰＬＴ信号が出力されると、ＣＰＵ５１は、ポートａにて、抵抗器Ｒ２２、Ｒ５４、及びＲ５５による上記ＣＰＬＴ信号の分圧レベルを検出する。
【００４０】
ここで、充電ケーブル３０（ＣＰＬＴ線３１）にインピーダンスが発生していない場合、充電制御装置５０の端子５２ａにおける電圧レベルは下式（１）から「１１．９４［Ｖ］」となり、ポートａにおける電圧レベルは下式（２）から「２．２０［Ｖ］」となる。
端子５２ａにおける電圧レベル＝（３９［ｋΩ］＋１６０［ｋΩ］）／（１［ｋΩ］＋１６０［ｋΩ］＋３９［ｋΩ］）×（１２［Ｖ］−０．７［Ｖ］）＋０．７［Ｖ］＝１１．９４［Ｖ］・・・（１）
ポートａにおける電圧レベル＝３９［ｋΩ］／（１［ｋΩ］＋１６０［ｋΩ］＋３９［ｋΩ］）×（１２［Ｖ］−０．７［Ｖ］）＝２．２０［Ｖ］・・・（２）
そのため、ＣＰＵ５１は、ポートａにおける電圧レベルがおよそ「２．２０［Ｖ］」である場合、「ケーブル側コネクタ３４及び車両側コネクタ４４は電気的に接続された接続状態にある」と判断する。
【００４１】
なお、上記検出回路２３によって検出されるＣＰＬＴ信号の分圧レベルは、端子５２ａにおける電圧レベルと同一である。そのため、実際には、ケーブル側装置２０は、端子５２ａにおける電圧レベルが「１１．９４［Ｖ］」であるか否かの判断に基づいて「ケーブル側コネクタ３４及び車両側コネクタ４４は電気的に接続された接続状態にある」か否かを判断することは可能である。しかしながら、本実施の形態では、ケーブル側装置２０は、検出回路２３によって検出されるＣＰＬＴ信号の分圧レベルが第１電圧レベル帯に収まると判断する場合、「ケーブル側コネクタ３４及び車両側コネクタ４４は電気的に接続されていない非接続状態にある」と判断する。
【００４２】
また、ＣＰＵ５１は出力ポートｂを有しており、このポートｂはＭＯＳトランジスタＴｒ５７のゲート電極に接続されている。ＣＰＵ５１は、ポートａにおける電圧レベルに基づき「ケーブル側コネクタ３４及び車両側コネクタ４４は電気的に接続された接続状態にある」と判断しない場合、ポートｂにおける電圧レベルを論理Ｌレベルとする。ポートｂにおける電圧レベルが論理Ｌレベルとされると、ＭＯＳトランジスタＴｒ５７はオフとされ、抵抗器Ｒ５６はＧＮＤに接地されない。
【００４３】
一方、ＣＰＵ５１は、ポートａにおける電圧レベルに基づき「ケーブル側コネクタ３４及び車両側コネクタ４４は電気的に接続された接続状態にある」と判断する場合、ポートｂにおける電圧レベルを論理Ｈレベルとする。ポートｂにおける電圧レベルが論理Ｈレベルとされると、ＭＯＳトランジスタＴｒ５７はオンとされ、抵抗器Ｒ５６はＧＮＤに接地される。すると、第２経路「発振器２１→抵抗器Ｒ２２→充電ケーブル３０（ＣＰＬＴ線３１）→ケーブル側コネクタ３４→車両側コネクタ４４→信号線４１→端子５２ａ→ダイオード５３（０．７［Ｖ］）→抵抗器Ｒ５６（２．７４［ｋΩ］）→ＭＯＳトランジスタＴｒ５７→ＧＮＤ」が構成される。第１経路及びこの第２経路の合成抵抗値は「２．７０［ｋΩ］」であるため、充電ケーブル３０（ＣＰＬＴ線３１）にインピーダンスが発生していない場合、充電制御装置５０の端子５２ａにおける電圧レベルは下式（３）から「８．９５［Ｖ］」となる。
端子５２ａにおける電圧レベル＝２．７０［ｋΩ］／（１［ｋΩ］＋２．７０［ｋΩ］）×（１２［Ｖ］−０．７［Ｖ］）＋０．７［Ｖ］＝８．９５［Ｖ］・・・（３）
すると、ケーブル側装置２０（判断制御回路）は、検出回路２３によって検出されるＣＰＬＴ信号の分圧レベルが第２電圧レベル帯に収まることから、「ケーブル側コネクタ３４及び車両側コネクタ４４は電気的に接続された接続状態にある」旨が充電制御装置５０によって通知されたと判断する。
【００４４】
このように、ＣＰＵ５１は、ポートｂにおける電圧レベルを論理Ｈレベルとすることで分圧比を変更し、「ケーブル側コネクタ３４及び車両側コネクタ４４は電気的に接続された接続状態にある」旨をケーブル側装置２０に通知する。
【００４５】
また、ＣＰＵ５１は、いわゆるインプットキャプチャであるポートｃを有しており、このポートｃで、ＰＷＭ信号が入力されたことを検出する。具体的には、ＣＰＵ５１は、ポートｃに入力される信号に含まれる立ち上がり及び立ち下がりを検出し、検出する立ち上がりの間の時間を計時することでＰＷＭ信号の周期を算出し、立ち上がり及び立ち下がり間の時間を計時することで信号の幅を算出し、これらからデューティ比を算出する。図１に示されるように、ケーブル側コネクタ３４が車両側コネクタ４４に接続されると、第３経路「発振器２１→抵抗器Ｒ２２→充電ケーブル３０（ＣＰＬＴ線３１）→ケーブル側コネクタ３４→車両側コネクタ４４→信号線４１→端子５２ａ→ダイオード５３→ポートｃ」が構成される。この第３経路に対し、ケーブル側装置２０（発振器２１）から上記ＣＰＬＴ信号が出力されると、ＣＰＵ５１は、ポートｃにて、上記ＣＰＬＴ信号のデューティ比を検出する。
【００４６】
既述したように、ケーブル側装置２０（判断制御回路）は、「ケーブル側コネクタ３４及び車両側コネクタ４４は電気的に接続された接続状態にある」旨が充電制御装置５０から通知されたと判断すると、上記ＣＰＬＴ信号を発振させる指令を発振器２１に対し出力する。そのため、ＣＰＵ５１は、ポートｃに入力されるＣＰＬＴ信号に発振が確認されると、「ケーブル側コネクタ３４及び車両側コネクタ４４は電気的に接続された接続状態にある」ことをケーブル側装置２０が確認したと判断することができる。
【００４７】
また、ＣＰＵ５１はポートｄ１及びｄ２を有しており、これらポートｄ１及びｄ２は、ＭＯＳトランジスタＴｒ５９ａ及び５９ｂのゲート電極にそれぞれ接続されている。ＣＰＵ５１は、ポートｃに入力されるＣＰＬＴ信号の発振の有無に基づき「ケーブル側コネクタ３４及び車両側コネクタ４４は電気的に接続された接続状態にある」ことをケーブル側装置２０が確認したと判断しない場合、ポートｄ１及びｄ２における電圧レベルをそれぞれ論理Ｌレベルとする。ポートｄ１及びｄ２における電圧レベルがそれぞれ論理Ｌレベルとされると、ＭＯＳトランジスタＴｒ５９ａ及び５９ｂはそれぞれオフとされ、抵抗器Ｒ５８ａ及び５８ｂはそれぞれＧＮＤに接地されない。
【００４８】
一方、ＣＰＵ５１は、ポートｃに入力されるＣＰＬＴ信号の発振の有無に基づき「ケーブル側コネクタ３４及び車両側コネクタ４４は電気的に接続された接続状態にある」ことをケーブル側装置２０が確認したと判断する場合、上記車載充電器に指令を出力し、外部電源からの電力受入準備を開始する。
【００４９】
そして、ＣＰＵ５１は、外部電源からの電力受入準備が完了すると、ポートｂに加えポートｄ１における電圧レベルを論理Ｈレベルとするとともに、ポートｄ２における電圧レベルを論理Ｌレベルとする。ポートｄ１における電圧レベルが論理Ｈレベルとされると、ＭＯＳトランジスタＴｒ５９ａはオンとされ、抵抗器Ｒ５８ａはＧＮＤに接地される。すると、第４経路「発振器２１→抵抗器Ｒ２２→充電ケーブル３０（ＣＰＬＴ線３１）→ケーブル側コネクタ３４→車両側コネクタ４４→信号線４１→端子５２ａ→ダイオードＤ５３（０．７［Ｖ］）→抵抗器Ｒ５８ａ（１．３［ｋΩ］）→ＭＯＳトランジスタＴｒ５９ａ→ＧＮＤ」が構成される。第１経路及び第２経路並びに第４経路の合成抵抗値は「０．８６５［ｋΩ］」であるため、充電ケーブル３０（ＣＰＬＴ線３１）にインピーダンスが発生していない場合、充電制御装置５０の端子５２ａにおける電圧レベルは下式（４）から「５．９４［Ｖ］」となる。
端子５２ａにおける電圧レベル＝０．８６５［ｋΩ］／（１［ｋΩ］＋０．８６５［ｋΩ］）×（１２［Ｖ］−０．７［Ｖ］）＋０．７［Ｖ］＝５．９４［Ｖ］・・・（４）
すると、ケーブル側装置２０（判断制御回路）は、検出回路２３によって検出されるＣＰＬＴ信号の分圧レベルが第３電圧レベル帯に収まることから、「外部電源からの電力受入準備が完了した」旨が充電制御装置５０によって通知されたと判断する。このように、ＣＰＵ５１は、ポートｂに加えポートｄ１における電圧レベルを論理Ｈレベルとするとともにポートｄ２における電圧レベルを論理Ｌレベルとすることで分圧比を変更し、「外部電源からの電力受入準備が完了した」旨をケーブル側装置２０に通知する。ちなみに、ケーブル側装置２０（判断制御回路）は、この旨通知されたと判断すると、上記リレー２４をオンとし、外部電源から二次電池へ電力を供給開始することは既述した通りである。
【００５０】
ところで、上記充電システム１では、ケーブル側コネクタ３４及び車両側コネクタ４４は接続及び非接続が何度も繰り返されるため、これらコネクタ３４及び４４の磨耗や異物の噛み込みに起因して、接触抵抗が極めて大きくなることが考えられる。しかも、車両４０に付属の充電ケーブル３０を使用して家庭用コンセントと接続することで充電が行なわれるとは限らず、車両４０に付属の充電ケーブル３０以外の充電ケーブルで充電が行なわれたり、例えば充電スタンド等の家庭用コンセント以外の設備で充電が行なわれたりすることが考えられ、インピーダンスの大きな充電ケーブルを使用して充電を行なわなければならない状況が生じることも考えられる。このようなインピーダンスの大きな充電ケーブルを使用して充電を行なおうとすると、充電制御装置５０にて分圧比を変更しても、ケーブル側装置２０にて検出されるＣＰＬＴ信号の分圧レベルが変動し、上記第１〜第３電圧レベル帯のいずれかに収まらなくなることがあり、ケーブル側装置２０は、充電制御装置５０の充電制御状態を認知（把握）することができなくなる。その結果、充電制御装置による充電制御が正常に行われなくなってしまうことがある。
【００５１】
以下、具体的に説明する。既述したように、充電制御装置５０（ＣＰＵ５１）は、ポートｂにおける電圧レベルを論理Ｈレベルとすることで分圧比を変更し、「ケーブル側コネクタ３４及び車両側コネクタ４４は電気的に接続された接続状態にある」旨をケーブル側装置２０に通知する。そして、ケーブル側装置２０（判断制御回路）は、検出回路２３によって検出されるＣＰＬＴ信号の分圧レベルが第２電圧レベル帯に収まると判断する場合、「ケーブル側コネクタ３４及び車両側コネクタ４４は電気的に接続された接続状態にある」旨が充電制御装置５０によって通知されたと判断する。
【００５２】
ここで例えば、充電ケーブル３０（ＣＰＬＴ線３１）に「０．４［ｋΩ］］だけインピーダンスが発生したとする。このとき、第１経路及び第２経路の合成抵抗値は「２．７０［ｋΩ］」であること及び下式（５）から、充電制御装置５０の端子５２ａにおける電圧レベルは、「９．２５［Ｖ］」となる。
端子５２ａにおける電圧レベル＝（０．４［ｋΩ］＋２．７０［ｋΩ］）／（１［ｋΩ］＋０．４［ｋΩ］＋２．７０［ｋΩ］）×（１２［Ｖ］−０．７［Ｖ］）＋０．７［Ｖ］＝９．２５［Ｖ］・・・（５）
上式（５）から分かるように、充電ケーブル３０（ＣＰＬＴ線３１）に「０．４［ｋΩ］］だけインピーダンスが発生したとしても、検出回路２３によって検出されるＣＰＬＴ信号の分圧レベルが第２電圧レベル帯に収まることから、「ケーブル側コネクタ３４及び車両側コネクタ４４は電気的に接続された接続状態にある」旨が充電制御装置５０によって通知されたとのケーブル側装置２０による判断結果に影響はない。ケーブル側装置２０は、充電制御装置５０の充電制御状態を正しく認知（把握）することができている。
【００５３】
また、既述したように、充電制御装置５０（ＣＰＵ５１）は、ポートｂに加えポートｄ１における電圧レベルをそれぞれ論理Ｈレベルとすることで分圧比を変更し、「外部電源からの電力受入準備が完了した」旨をケーブル側装置２０に通知する。そして、ケーブル側装置２０（判断制御回路）は、検出回路２３によって検出されるＣＰＬＴ信号の分圧レベルが第３電圧レベル帯に収まると判断する場合、「外部電源からの電力受入準備が完了した」旨が充電制御装置５０によって通知されたと判断する。
【００５４】
ここで例えば、充電ケーブル３０（ＣＰＬＴ線３１）に「０．４［ｋΩ］］だけインピーダンスが発生したとする。このとき、第１経路及び第２経路並びに第４経路の合成抵抗値は「０．８６５［ｋΩ］」であること及び下式（６）から、充電制御装置５０の端子５２ａにおける電圧レベルは「７．０１［Ｖ］」となる。
端子５２ａにおける電圧レベル＝（０．４［ｋΩ］＋０．８６５［ｋΩ］）／（１［ｋΩ］＋０．４［ｋΩ］＋０．８６５［ｋΩ］）×（１２［Ｖ］−０．７［Ｖ］）＋０．７［Ｖ］＝７．０１［Ｖ］・・・（６）
上式（６）から分かるように、充電ケーブル３０（ＣＰＬＴ線３１）に「０．４［ｋΩ］］だけインピーダンスが発生したとすると、検出回路２３によって検出されるＣＰＬＴ信号の分圧レベルが上昇し、第３電圧レベル帯に収まらないことから、「外部電源からの電力受入準備が完了した」旨が充電制御装置５０によって通知されたとケーブル側装置２０によって判断されず、この判断結果に影響を大きく及ぼす。ケーブル側装置２０は、充電制御装置５０の充電制御状態を正しく認知（把握）することができなくなる。その結果、充電制御装置５０による充電制御は正常に行われなくなってしまう。
【００５５】
そこで、本実施の形態では、充電制御装置５０は、初期状態におけるＣＰＬＴ信号の分圧レベルを初期分圧レベルとして記憶保持するとともに、このＣＰＬＴ信号の初期分圧レベルに応じて分圧比を変更して充電制御を行うこととした。なお、初期状態とは、充電ケーブル差込口にプラグ１０が差し込まれ、ケーブル側コネクタ３４及び車両側コネクタ４４が互いに接続された状態、ケーブル側装置２０（発振器２１）から充電制御装置５０へＣＰＬＴ信号として直流信号が出力されている状態を意味する。また、この初期分圧レベルが特許請求の範囲に記載の基準分圧レベルに相当する。
【００５６】
ここで、充電ケーブル３０（ＣＰＬＴ線３１）に「０．４［ｋΩ］］だけインピーダンスが発生したとすると、ＣＰＵ５１のポートａにおける電圧レベルは下式（７）から「２．２０［Ｖ］」となる。
ポートａにおける電圧レベル＝３９［ｋΩ］／（１［ｋΩ］＋０．４［ｋΩ］＋１６０［ｋΩ］＋３９［ｋΩ］）×（１２［Ｖ］−０．７［Ｖ］］）＝２．１９９［Ｖ］・・・（７）
また、既述したように、充電ケーブル３０（ＣＰＬＴ線３１）に「０．４［ｋΩ］］だけインピーダンスが発生していないとすると、ＣＰＵ５１のポートａにおける電圧レベルは上式（２）から「２．２００［Ｖ］」となる。
【００５７】
なお、ＣＰＬＴ信号の分圧レベル（＝ＣＰＵ５１のポートａにおける電圧レベル）は、充電ケーブル３０（ＣＰＬＴ線３１）に発生するインピーダンスが大きいほど小さくなる一方、充電ケーブル３０（ＣＰＬＴ線３１）に発生するインピーダンスが小さいほど大きくなることが、発明者らによって確認されている。
【００５８】
こうした傾向を踏まえ、本実施の形態では、ＣＰＵ５１は、外部電源からの電力受入準備が完了すると、ＣＰＬＴ信号の初期分圧レベルと所定の閾値を比較する。
【００５９】
ＣＰＬＴ信号の初期分圧レベルが閾値（「２．２００［Ｖ］」）を下回ると判断する場合、すなわち充電ケーブル３０（ＣＰＬＴ線３１）にインピーダンスが発生している場合、ＣＰＵ５１は、ポートｂ及びポートｄ１及びｄ２における電圧レベルをそれぞれ論理Ｈレベルとする。ポートｂ及びポートｄ１及びｄ２における電圧レベルが論理Ｈレベルとされると、ＭＯＳトランジスタＴｒ５７並びにＴｒ５９ａ及び５９ｂはそれぞれオンとされ、抵抗器Ｒ５６並びにＲ５８ａ及びＲ５８ｂはそれぞれＧＮＤに接地される。すると、第２経路及び第４経路に加え、さらに第５経路「発振器２１→抵抗器Ｒ２２→充電ケーブル３０（ＣＰＬＴ線３１）→ケーブル側コネクタ３４→車両側コネクタ４４→信号線４１→端子５２ａ→ダイオードＤ５３（０．７［Ｖ］）→抵抗器Ｒ５８ｂ（４．３［ｋΩ］）→ＭＯＳトランジスタＴｒ５９ｂ→ＧＮＤ」も構成される。
【００６０】
ここで、充電ケーブル３０（ＣＰＬＴ線３１）に発生しているインピーダンスが例えば「０．４［ｋΩ］」であるとすると、第１経路及びこれら経路の合成抵抗値は「０．７２［ｋΩ］」であること及び下式（８）から、充電制御装置５０の端子５２ａにおける電圧レベルは「６．５９［Ｖ］」となる。
端子５２ａにおける電圧レベル＝（０．４［ｋΩ］＋０．７２［ｋΩ］）／（１［ｋΩ］＋０．４［ｋΩ］＋０．７２［ｋΩ］）×（１２［Ｖ］−０．７［Ｖ］）＋０．７［Ｖ］＝６．７０［Ｖ］・・・（８）
上式（８）から分かるように、充電ケーブル３０（ＣＰＬＴ線３１）に例えば「０．４［ｋΩ］」のインピーダンスが発生していても、検出回路２３によって検出されるＣＰＬＴ信号の分圧レベルが第３電圧レベル帯に収まることから、ケーブル側装置２０（判断制御回路）は、「外部電源からの電力受入準備が完了した」旨が充電制御装置５０によって通知されたと判断することができるようになる。ちなみに、ケーブル側装置２０（判断制御回路）は、この旨通知されたと判断すると、上記リレー２４をオンとし、外部電源から二次電池へ電力を供給開始することは既述した通りである。
【００６１】
また、ＣＰＬＴ信号の初期分圧レベルが所定の閾値（「２．２００［Ｖ］」）以上であると判断する場合、すなわち充電ケーブル３０（ＣＰＬＴ線３１）にそれほど大きなインピーダンスが発生していない場合、ＣＰＵ５１は、ポートｂに加えポートｄ１における電圧レベルをそれぞれ論理Ｈレベルとするとともに、ポートｄ２における電圧レベルを論理Ｌレベルとする。この場合の作動については割愛するが、充電ケーブル３０（ＣＰＬＴ線３１）に発生するインピーダンスが「０．３５［ｋΩ］」以下であるとすると、端子５２ａにおける電圧レベルは「６．９０［Ｖ］」以下となることが発明者らによって確認されている。したがって、充電ケーブル３０（ＣＰＬＴ線３１）にそれほど大きなインピーダンスが発生していない場合、検出回路２３によって検出されるＣＰＬＴ信号の分圧レベルが第３電圧レベル帯に収まることから、ケーブル側装置２０（判断制御回路）は、「外部電源からの電力受入準備が完了した」旨が充電制御装置５０によって通知されたと判断することができるようになる。ちなみに、ケーブル側装置２０（判断制御回路）は、この旨通知されたと判断すると、上記リレー２４をオンとし、外部電源から二次電池へ電力を供給開始することは既述した通りである。
【００６２】
以上のように構成されたプラグイン車両用充電システムを構成する充電制御装置５０の動作について、図２及び図３を併せ参照して説明する。なお、図２は、充電制御装置５０によって実行される処理の処理手順を示すフローチャートであり、図３は、ＣＰＬＴ信号の分圧レベルの推移例を示すタイミングチャートである。
【００６３】
図３に示されるように、充電ケーブルのプラグ１０が充電ケーブル差込口に差し込まれると、ケーブル側装置２０を構成する発振器２１が「１２［Ｖ］」の固定幅の直流信号をＣＰＬＴ信号として生成・出力する（時刻ｔ１１）。そして、ケーブル側コネクタ３４及び車両側コネクタ４４が互いに接続されると（時刻ｔ１２）、充電制御装置５０の端子５２ａにおける電圧レベルが「０［Ｖ］」から「１２［Ｖ］に変化する。充電制御装置５０の端子５２ａにおける電圧レベルが「０［Ｖ］」から「１２［Ｖ］に変化することで、ＣＰＵ５１が起動し、図２に示す処理が実行開始される。
【００６４】
図２に示す処理の実行開始時には、充電制御装置５０（ＣＰＵ５１）は、上記初期状態にある。そのため、ＣＰＵ５１は、ステップＳ１１の処理として、ＣＰＬＴ信号の分圧レベル、すなわち端子５２ａにおける分圧レベル、ひいてはポートａにおける電圧レベルを検出し、これを記憶保持する。なお、こうしたＣＰＬＴ信号の初期分圧レベルの検出及び記憶保持は、時刻ｔ１２に実行される。
【００６５】
ＣＰＬＴ信号の初期分圧レベルの検出及び記憶保持を実行すると、ＣＰＵ５１は、ポートａにおける電圧レベルに基づいて「ケーブル側コネクタ３４及び車両側コネクタ４４は電気的に接続された接続状態にある」か否かを判断する。具体的には、ＣＰＵ５１は、ポートａにおける電圧レベルがおよそ「２．２０［Ｖ］」であるか否かを判断し、およそ「２．２０［Ｖ］」であると判断する場合、「ケーブル側コネクタ３４及び車両側コネクタ４４は電気的に接続された接続状態にある」と判断する。
【００６６】
「ケーブル側コネクタ３４及び車両側コネクタ４４は電気的に接続された接続状態にある」と判断すると、ＣＰＵ５１は、続くステップＳ１２の処理として、ポートｂにおける電圧レベルを論理Ｈレベルとすることで、ＭＯＳトランジスタＴｒ５７をオンとする。すると、上記第２経路が構成される結果、図３に示されるように、ＣＰＬＴ信号の分圧レベル（ポートａにおける電圧レベル）は、時刻ｔ１３においておよそ「９［Ｖ］」に変化する。このように、ＣＰＵ５１は、ポートｂにおける電圧レベルを論理Ｈレベルとすることで分圧比を変更し、「ケーブル側コネクタ３４及び車両側コネクタ４４は電気的に接続された接続状態にある」旨をケーブル側装置２０に通知する。
【００６７】
ＣＰＵ５１は、上記通知を終えると、続くステップＳ１３の判断処理として、ＣＰＬＴ信号の発振を検出するか否かを判断する。具体的には、ＣＰＵ５１は、ポートｃに入力される信号の発振の有無を繰り返し判断し、発振があると判断する（ステップＳ１３の判断処理で「Ｙｅｓ」）まで待機する。
【００６８】
一方、ケーブル側装置２０（判断制御回路）は、ＣＰＬＴ信号の分圧レベルが第２電圧レベル帯に収まることから、「ケーブル側コネクタ３４及び車両側コネクタ４４は電気的に接続された接続状態にある」旨が充電制御装置５０によって通知されたと判断する。そして、ケーブル側装置２０（判断制御回路）は、ＣＰＬＴ信号の電圧レベルを発振させる指令を発振器２１に対し出力する。すると、ＣＰＬＴ信号は、図３に示すように、時刻ｔ１４において発振開始する。
【００６９】
ＣＰＵ５１は、ポートｃに入力される信号に発振を確認する（ステップＳ１３の判断処理で「Ｙｅｓ」）と、「ケーブル側コネクタ３４及び車両側コネクタ４４は電気的に接続された接続状態にある」ことをケーブル側装置２０が確認したと判断する。そして、ＣＰＵ５１は、上記車載充電器に指令を出力し、外部電源からの電力受入準備を開始する。
【００７０】
上記車載充電器に指令を出力すると、ＣＰＵ５１は、続くステップＳ１４の判断処理として、車載充電器の電力受入準備が完了したか否かを繰り返し判断し、完了したと判断する（ステップＳ１４の判断処理で「Ｙｅｓ」）まで待機する。
【００７１】
外部電源からの電力受入準備が完了したと判断する場合（ステップＳ１４の判断処理で「Ｙｅｓ」）、ＣＰＵ５１は、続くステップＳ１５の判断処理として、ＣＰＬＴ信号の初期分圧レベルと所定の閾値を比較する。
【００７２】
具体的には、ＣＰＬＴ信号の初期分圧レベルが所定の閾値（「２．２００［Ｖ］」）以上と判断する場合、ＣＰＵ５１は、ポートｄ１における電圧レベルを論理Ｈレベルとすることで、ＭＯＳトランジスタＴｒ５９ａをオンとする。なお、ＣＰＵ５１は、先のステップＳ１２の処理において、ポートｂにおける電圧レベルを論理Ｈレベルとし、ＭＯＳトランジスタＴｒ５７をオンとしている。すると、上記第４経路が構成される結果、図３に示されるように、ＣＰＬＴ信号の分圧レベル（ポートａにおける電圧レベル）は、時刻ｔ１５においておよそ「６［Ｖ］」に変化する。このように、ＣＰＵ５１は、ポートｄ１における電圧レベルを論理Ｈレベルとすることで分圧比を変更し、「外部電源からの電力受入準備が完了した」旨をケーブル側装置２０に通知する。
【００７３】
一方、ＣＰＬＴ信号の初期分圧レベルが所定の閾値（「２．２００［Ｖ］」）を下回ると判断する場合、ＣＰＵ５１は、ポートｄ１及びｄ２における電圧レベルをそれぞれ論理Ｈレベルとすることで、ＭＯＳトランジスタＴｒ５９ａ及び５９ｂをそれぞれオンとする。なお、ＣＰＵ５１は、先のステップＳ１２の処理において、ポートｂにおける電圧レベルを論理Ｈレベルとし、ＭＯＳトランジスタＴｒ５７をオンとしている。すると、上記第４経路及び第５経路が構成される結果、図３に示されるように、ＣＰＬＴ信号の分圧レベル（ポートａにおける電圧レベル）は、時刻ｔ１５においておよそ「６［Ｖ］」に変化する。このように、ＣＰＵ５１は、ポートｄ１及びｄ２における電圧レベルをそれぞれ論理Ｈレベルとすることで分圧比を変更し、「外部電源からの電力受入準備が完了した」旨をケーブル側装置２０に通知する。
【００７４】
ケーブル側装置２０（判断制御回路）は、ＣＰＬＴ信号の分圧レベルが第３電圧レベル帯に収まるか否かを判断し、収まると判断すると、「外部電源からの電力受入準備が完了した」旨が充電制御装置５０によって通知されたと判断する。そして、ケーブル側装置２０（判断制御回路）は、上記リレー２４をオンとし、外部電源から二次電池へ電力を供給開始する。
【００７５】
以上説明した上記実施の形態では、充電制御装置５０は、ケーブル側装置２０が「１２［Ｖ］」にてＣＰＬＴ信号を生成・出力している初期状態にて、ポートａにおける電圧レベルを検出し、記憶保持する。そして、充電制御装置５０は、この記憶保持したポートａにおける電圧レベルに応じて分圧比を変更することで、バッテリの充電制御の状態をケーブル側装置２０に通知することとした。記憶保持したポートａにおける電圧レベルは、充電ケーブル３０に発生することのあるインピーダンスの大きさを反映する。こうしたインピーダンスの大きさを反映する、記憶保持したポートａにおける電圧レベルに応じて分圧比を変更するため、充電ケーブル３０に大きなインピーダンスが生じた場合であっても、充電制御装置５０は、充電制御状態を正しく通知することができるようになり、ケーブル側装置２０は、バッテリの充電制御の状態を正しく認知（把握）することができるようになる。したがって、充電ケーブル３０に大きなインピーダンスが生じた場合であっても、充電制御を正常に行なうことができるようになる。
【００７６】
なお、本発明に係るプラグイン車両用充電システム及び充電制御装置は、上記実施の形態にて例示した構成に限定されるものではなく、本発明の趣旨を逸脱しない範囲において、種々に変形して実施することが可能である。すなわち、上記実施の形態を適宜変更した例えば次の形態として実施することもできる。
【００７７】
上記実施の形態では、充電制御装置５０（ＣＰＵ５１）が「ケーブル側コネクタ３４及び車両側コネクタ４４は電気的に接続された接続状態にある」旨をケーブル側装置２０に通知すると、ケーブル側装置２０（判断制御回路）は、「ケーブル側コネクタ３４及び車両側コネクタ４４は電気的に接続された接続状態にある」旨が充電制御装置５０によって通知されたと認知していたが、充電ケーブル３０に大きなインピーダンスが発生すると、このような通知や認知を正しく行なえず、ひいては充電制御を正常に行なうことができなくなる場合も考えられる。そこで、充電制御装置５０は、バッテリの充電制御の状態のうち、「ケーブル側コネクタ３４及び車両側コネクタ４４は電気的に接続された接続状態にある」旨をケーブル側装置２０に通知する際に、上記ＣＰＬＴ信号の初期分圧レベルに応じて分圧比を変更して充電制御を行うこととしてもよい。
【図面の簡単な説明】
【００７８】
【図１】本発明に係るプラグイン車両用充電システム及び充電制御装置の一実施の形態について、その概略構成を示すブロック図である。
【図２】本実施の形態によって実行される処理の処理手順を示すフローチャートである。
【図３】本実施の形態によって生成・出力されるＣＰＬＴ信号の推移例を示すタイミングチャートである。
【図４】充電ケーブル規格に適う一般的な充電システムの一例について、その概略構成を示すブロック図である。
【符号の説明】
【００７９】
１、１００…充電システム、１０…プラグ、２０、１２０…ケーブル側装置、２１、１２１…発振器、Ｒ２２、Ｒ１２２…抵抗器、２３、１２３…検出回路、２４…リレー、３０…充電ケーブル、３１…ＣＰＬＴ線、３２…ＧＮＤ線、３３…電源線、３４…ケーブル側コネクタ、４０…プラグイン車両、４１〜４３…信号線、５０、１５０…充電制御装置、５１、１５１…ＣＰＵ、５２ａ、５２ｂ…端子、Ｄ５３、Ｄ１５３…ダイオード、Ｒ５４〜Ｒ５６、Ｒ５８ａ〜Ｒ５８ｂ、Ｒ１５４、Ｒ１５６…抵抗器、Ｔｒ５７、Ｔｒ５９ａ〜Ｔｒ５９ｂ…ＭＯＳトランジスタ、Ｓ１５７…スイッチ
【図１】
2010142088.tif 000003
【図２】
2010142088.tif 000004
【図３】
2010142088.tif 000005
【図４】
2010142088.tif 000006